(57)【要約】【課題】筐体からの取り外しの際にプリント配線基板や配線ケーブルが散逸したり、紛失する恐れがなく、且つ、実装される部品を効果的に保護することのできるプリント配線基板保護構造を提供する。【解決手段】略矩形の第１のプリント配線基板１の１つの辺部に、該辺部に沿って伸び且つ第１のプリント配線基板の表面に垂直な方向に伸びる側面を有する第１の保護部材２を取り付け、第１のプリント配線基板の前記辺部に相対向する他の辺部に、該他の辺部に沿って伸び且つ第１のプリント配線基板の表面に垂直な方向に伸びる側面を有する第２の保護部材３を取り付ける。第１の保護部材に第２のプリント配線基板５が取り付けられ、第２の保護部材に第３のプリント配線基板４が取り付けられ、前記第１、第２、及び第３のプリント配線基板は配線ケーブルにより互いに電気的に接続される。【選択図】        図１
2004349298.tif 000002
【特許請求の範囲】
【請求項１】
略矩形の第１のプリント配線基板の１つの辺部に、該辺部に沿って伸び且つ前記第１のプリント配線基板の表面に垂直な方向に伸びる側面を有する第１の保護部材を取り付け、
前記第１のプリント配線基板の前記辺部に相対向する他の辺部に、該他の辺部に沿って伸び且つ前記第１のプリント配線基板の表面に垂直な方向に伸びる側面を有する第２の保護部材を取り付ける
ことを特徴とするプリント配線基板保護構造。
【請求項２】
前記第１の保護部材に第２のプリント配線基板が取り付けられ、前記第２の保護部材に第３のプリント配線基板が取り付けられ、前記第１、第２、及び第３のプリント配線基板は配線ケーブルにより互いに電気的に接続されることを特徴とする請求項１に記載のプリント配線基板保護構造。
【請求項３】
前記第１の保護部材及び前記第２の保護部材の前記第１のプリント配線基板の表面からの高さは、前記第１のプリント配線基板の表面に実装されている部品の前記第１のプリント配線基板の表面からの高さより高いことを特徴とする請求項１または２に記載のプリント配線基板保護構造。
【請求項４】
前記第１の保護部材及び前記第２の保護部材の底面に複数の突起がそれぞれ設けられていることを特徴とする請求項３に記載のプリント配線基板保護構造。
【請求項５】
積み重ね可能とすべく、前記第１の保護部材及び前記第２の保護部材の上面に前記複数の突起が挿入される複数の孔が形成されていることを特徴とする請求項４に記載のプリント配線基板保護構造。
【請求項６】
前記第１の保護部材は前記第１の辺部の全長に渡って延在し、前記第２の保護部材は前記第２の辺部の両側の端部にそれぞれ取り付けられることを特徴とする請求項１から５のいずれか一項に記載のプリント配線基板保護構造。
【発明の詳細な説明】
【０００１】
【発明の属する技術分野】
本発明は、電子機器のプリント配線基板の保護構造に関する。
【０００２】
【従来の技術】
プリント配線基板に実装された部品は、プリント配線基板の組立て後の検査工程や筐体への取り付け工程の際には外部に露出するため、それらを破損から保護する必要がある。また、修理の際にプリント配線基板を筐体から取り外し、輸送する場合も同様である。
プリント配線基板上の部品を破損から保護するため、プリント配線基板にコの字形の保護カバーを装着するようにしたものもある（例えば特許文献１参照）。
【０００３】
【特許文献１】
実開平６−３８２８２号公報（第１図）
【０００４】
【発明が解決しようとする課題】
電子機器には、その筐体内に配線ケーブルにより相互に接続された複数のプリント配線基板を収容するものもある。このような電子機器の場合、修理やプリント配線基板の再利用のため、筐体からプリント配線基板を取り出す際には、複数のプリント配線基板及び配線ケーブルが筐体から別々に取り外されるため、それらが散逸したり、紛失する場合があった。この問題は特許文献１に記載の構成でも同様に発生する。
【０００５】
また、特許文献１に記載の構成では、保護カバーはプリント配線基板の一部を覆うように装着されるので、その形状はプリント配線基板の配線パターン及び部品の配置パターンに応じたものとする必要がある。即ち、保護カバーとして専用部品が必要であるのでコスト高になるという問題があった。
【０００６】
本発明は上記問題に鑑みなされたものであり、筐体からの取り外しの際にプリント配線基板や配線ケーブルが散逸したり、紛失する恐れがなく、且つ、実装される部品を効果的に保護することのできるプリント配線基板保護構造を安価に提供することを目的とする。
【０００７】
【課題を解決するための手段】
上記目的を達成すべく、本発明のプリント配線基板保護構造は、略矩形の第１のプリント配線基板の１つの辺部に、該辺部に沿って伸び且つ前記第１のプリント配線基板の表面に垂直な方向に伸びる側面を有する第１の保護部材を取り付け、前記第１のプリント配線基板の前記辺部に相対向する他の辺部に、該他の辺部に沿って伸び且つ前記第１のプリント配線基板の表面に垂直な方向に伸びる側面を有する第２の保護部材を取り付けることを特徴とする
【０００８】
【発明の実施の形態】
以下、この発明をその実施の形態を示す図面に基づいて具体的に説明する。
図１にこの発明のプリント配線基板保護構造の一実施形態を示す。同図において、主たるプリント配線基板１の後縁部には後面側筐体部材２が保護部材として取り付けられ、前縁部には２つの前面側筐体部材３が保護部材として取付けられている。
【０００９】
前面側筐体部材３には前面側プリント配線基板４が取付けられ、後面側筐体部材２には小基板５が取付けられている。プリント配線基板１と前面側プリント配線基板４、及び小基板５は配線ケーブルにより電気的に相互接続されている。
【００１０】
図２はプリント配線基板１を複数個積み重ねた状態を示すものである。同図に示すように、後面側筐体部材２及び前面側筐体部材３は、それらの上端がプリント配線基板１上の部品より高い位置に来る寸法に作られており、従って積み重ねた時に、下側のプリント配線基板１上の部品に、上側のプリント配線基板１の裏面が接触することはない。
【００１１】
また、後面側筐体部材２及び前面側筐体部材３の底面には複数の突起がそれぞれ設けられ、従って、プリント配線基板１を平坦な面に置いた場合にもプリント配線基板１の裏面側に出る部品の脚や裏面に実装された部品を破損から保護することができる。また、後面側筐体部材２及び前面側筐体部材３の上面には上記複数の突起が挿入される複数の孔がそれぞれ設けられているので、容易に積み重ねることができる。
【００１２】
図３に上記構造のプリント配線基板を有する電子機器の筐体構造の一例を示す。同図に示すように、プリント配線基板１を収容する筐体６に、前面意匠部品７、機構部品８、天板９が取付けられる。電気回路を構成するプリント配線基板１、前面側プリント配線基板４、及び小基板５は後面側筐体部材２及び前面側筐体部材３により一体化され、組立・再利用時の取扱いが容易である。
【００１３】
上記構造の本発明の電気回路を構成する一体化されたプリント配線基板は、組立てまたは修理・再利用のための回収の際、図４に示すように箱１０内に積み重ねた状態で収容し、そのまま輸送することができる。
【００１４】
以上説明したように、本実施形態においては、後面側筐体部材２及び前面側筐体部材３はプリント配線基板１の後縁部の全長に延在し、また、プリント配線基板１の四角には、後面側筐体部材２または前面側筐体部材３が位置し、プリント配線基板１及び他の基板上の部品に誤って接触し、破損させる可能性が大幅に低減される。更に、後面側筐体部材２及び前面側筐体部材３の底面には複数の突起が設けられているので、プリント配線基板１が平坦な面上に置かれた場合にもプリント配線基板１の裏面側に伸びる部品の脚及び該裏面に実装された部品を破損から保護することができる。
【００１５】
また、特別の部材を使用することなくプリント配線基板１を積み重ねることができ、かつプリント配線基板自体が保護機能を持つ構造であるので、製造時や修理・再利用のための回収時の輸送用の箱として仕切りのない単純な構造のものを用いることができる。
【００１６】
また、前面側筐体部材３には前面側プリント配線基板４が取付けられ、後面側筐体部材２には小基板５が取付けられ、主たるプリント配線基板１、後面側筐体部材２、前面側筐体部材３、前面側プリント配線基板４、及び小基板５はこの状態で電気的に且つ構造的に一体になっており、筐体の組立および解体、プリント配線基板再利用時の取り扱いを容易にしている。
【００１７】
【発明の効果】
本発明によれば、筐体からの取り外しの際にプリント配線基板や配線ケーブルが散逸したり、紛失する恐れがなく、且つ、実装される部品を効果的に保護することのできるプリント配線基板保護構造が安価に提供される。
【図面の簡単な説明】
【図１】本発明のプリント配線基板保護構造の一実施形態を示す図である。
【図２】図１のプリント配線基板を積み重ねた状態を示す図である。
【図３】図１のプリント配線基板を有する電子機器の筐体構造図である。
【図４】図１のプリント配線基板の梱包に使用する箱を示す図である。
【符号の説明】
１  プリント配線基板、  ２  後面側筐体部材、  ３  前面側筐体部材、  ４前面側プリント配線基板、  ５  小基板、  ６  筐体、  ７  前面意匠部品、８  機構部品、  ９  天板、１０  輸送箱。
【図１】
2004349298.tif 000003
【図２】
2004349298.tif 000004
【図３】
2004349298.tif 000005
【図４】
2004349298.tif 000006